(57)【特許請求の範囲】
【請求項１】
減圧により患者の組織部位を治療するためのシステムと使用するための減圧治療装置において、
キャニスター部であって：
少なくとも２つのダイアフラムを含み、前記組織部位に流体的に結合して前記組織部位に減圧をもたらすポンプヘッド、および
前記ポンプヘッドに流体的に結合され、前記組織部位から流体を収集する液溜め
を含むキャニスター部と；
前記キャニスター部とは流体的に分離され、かつ前記ポンプヘッドにポンプエネルギーを提供して前記ポンプヘッドに減圧を生成させるように動作可能であり、それぞれのダイアフラムの変位を測定するように前記少なくとも２つのダイアフラムのうち少なくとも１つに動作可能に接続されるポンプ制御部であって、
制御装置、および
前記制御装置に電力を提供する電源サブシステム
を含むポンプ制御部と；
前記キャニスター部および前記ポンプ制御部に関連付けられ、前記ポンプヘッドに前記ポンプエネルギーを提供する少なくとも１つのリンキングインターフェースと；
を含み、
前記制御装置および前記電源サブシステムが、前記少なくとも１つのリンキングインターフェースに前記ポンプエネルギーを提供して減圧を生成することを特徴とする、減圧治療装置。
【請求項２】
請求項１に記載の減圧治療装置において、前記少なくとも１つのリンキングインターフェースが電磁石を含むことを特徴とする、減圧治療装置。
【請求項３】
請求項２に記載の減圧治療装置において、前記電磁石が、前記ポンプ制御部に結合され、かつ前記少なくとも２つのダイアフラムのうち少なくとも１つの上の金属部分に電磁的にリンクされ、かつ前記少なくとも２つのダイアフラムのうち少なくとも１つを撓ませるように動作可能であることを特徴とする、減圧治療装置。
【請求項４】
請求項２に記載の減圧治療装置において、前記少なくとも１つのリンキングインターフェースが機械的なリンクであり、それによって、前記少なくとも２つのダイアフラムのうち少なくとも１つが、前記電磁石によって撓まされるように動作可能であることを特徴とする、減圧治療装置。
【請求項５】
請求項１に記載の減圧治療装置において、前記少なくとも１つのリンキングインターフェースが、前記少なくとも２つのダイアフラムのうち少なくとも１つに空気圧的にリンクされたポンプであることを特徴とする、減圧治療装置。
【請求項６】
請求項１に記載の減圧治療装置において、前記少なくとも２つのダイアフラムのうち少なくとも１つに装着された圧電部材をさらに含み、および前記少なくとも１つのリンキングインターフェースが：前記圧電部材に電気的に結合された圧電制御器を含むことを特徴とする、減圧治療装置。
【請求項７】
請求項１または請求項１乃至６の何れか１項に記載の減圧治療装置において、前記ポンプヘッドが、前記液溜めに直接減圧をもたらすことを特徴とする、減圧治療装置。
【請求項８】
請求項１または請求項１乃至６の何れか１項に記載の減圧治療装置において、前記ポンプヘッドに流体的に結合され、かつ前記組織部位からの前記流体が前記ポンプヘッドに入ってから前記液溜めに入るように適合された減圧供給導管をさらに含むことを特徴とする、減圧治療装置。
【請求項９】
請求項１または請求項１乃至６の何れか１項に記載の減圧治療装置において、前記ポンプヘッドに流体的に結合され、かつ前記組織部位からの前記流体が前記ポンプヘッドの代わりに前記液溜めに最初に入るように適合された減圧供給導管をさらに含むことを特徴とする、減圧治療装置。
【請求項１０】
請求項１または請求項１乃至９の何れか１項に記載の減圧治療装置において、
前記液溜めから水蒸気を大気に放出するための、前記キャニスター部と前記ポンプ制御部との間の空隙チャネル
をさらに含むことを特徴とする、減圧治療装置。
【請求項１１】
請求項１０に記載の減圧治療装置において、前記空隙チャネルが、前記キャニスター部に形成された凹部分を含むことを特徴とする、減圧治療装置。
【請求項１２】
患者の組織部位に減圧治療を行うための減圧治療システムにおいて、
前記組織部位に近接して配置するためのマニホールドと；
前記組織部位および前記マニホールドを覆って配置され、かつ流体シールを形成するように動作可能なシール部材と；
減圧治療装置であって：
キャニスター部であって：
少なくとも２つのダイアフラムを含み、前記組織部位に流体的に結合されて前記組織部位に減圧をもたらすポンプヘッド、および
前記ポンプヘッドに流体的に結合され、前記組織部位から流体を収集する液溜め
を含むキャニスター部、
前記キャニスター部とは流体的に分離され、かつ前記ポンプヘッドにポンプエネルギーをもたらして前記ポンプヘッドに減圧を生成させるように動作可能であり、それぞれのダイアフラムの変位を測定するように前記少なくとも２つのダイアフラムのうち少なくとも１つに動作可能に接続されるポンプ制御部であって：
制御装置、および
前記制御装置に電力をもたらすための電源サブシステム
を含むポンプ制御部、
前記キャニスター部および前記ポンプ制御部に関連付けられ、前記ポンプヘッドに前記ポンプエネルギーを提供するための少なくとも１つのリンキングインターフェース
を含む減圧治療装置と
を含み、
前記制御装置および前記電源サブシステムが前記少なくとも１つのリンキングインターフェースに前記ポンプエネルギーを提供し、減圧を生成することを特徴とする、減圧治療システム。
【請求項１３】
請求項１２に記載の減圧治療システムにおいて、前記少なくとも１つのリンキングインターフェースが電磁石を含むことを特徴とする、減圧治療システム。
【請求項１４】
請求項１３に記載の減圧治療システムにおいて、前記電磁石が、前記少なくとも２つのダイアフラムのうち少なくとも１つの上の金属部分に電磁的にリンクされ、かつ前記少なくとも２つのダイアフラムのうち少なくとも１つを撓ませるように動作可能であることを特徴とする、減圧治療システム。
【請求項１５】
請求項１３に記載の減圧治療システムにおいて、前記電磁石が、前記少なくとも２つのダイアフラムのうち少なくとも１つに機械的にリンクされ、かつ前記少なくとも２つのダイアフラムのうち少なくとも１つを撓ませるように動作可能であることを特徴とする、減圧治療システム。
【請求項１６】
請求項１２に記載の減圧治療システムにおいて、前記ポンプ制御部が前記液溜めとは流体的に分離され、および前記少なくとも１つのリンキングインターフェースが、前記少なくとも２つのダイアフラムのうち少なくとも１つに空気圧的にリンクされたポンプであることを特徴とする、減圧治療システム。
【請求項１７】
請求項１２に記載の減圧治療システムにおいて、前記減圧治療装置が、前記少なくとも２つのダイアフラムのうち少なくとも１つに装着された圧電部材をさらに含み、および前記少なくとも１つのリンキングインターフェースが、前記圧電部材に電気的に結合された圧電制御器であることを特徴とする、減圧治療システム。
【請求項１８】
請求項１２または請求項１３乃至１７の何れか１項に記載の減圧治療システムにおいて、前記ポンプヘッドが、前記液溜めに減圧をもたらすように適合されていることを特徴とする、減圧治療システム。
【請求項１９】
請求項１２または請求項１３乃至１７の何れか１項に記載の減圧治療システムにおいて、前記ポンプヘッドに流体的に結合され、かつ前記組織部位からの前記流体が前記ポンプヘッドに入ってから前記液溜めに入るように適合されている減圧供給導管をさらに含むことを特徴とする、減圧治療システム。
【請求項２０】
請求項１２または請求項１３乃至１７の何れか１項に記載の減圧治療システムにおいて、前記キャニスターに流体的に結合され、かつ前記組織部位からの前記流体が前記ポンプヘッドの代わりに前記液溜めに最初に入るように適合されている減圧供給導管をさらに含むことを特徴とする、減圧治療システム。
【請求項２１】
請求項１２または請求項１３乃至２０の何れか１項に記載の減圧治療システムにおいて、
前記液溜めから水蒸気を大気に放出させるための、前記キャニスター部と前記ポンプ制御部との間の空隙チャネル
をさらに含むことを特徴とする、減圧治療システム。
【請求項２２】
患者の組織部位に減圧を適用する減圧治療装置において、
キャニスター部であって：
少なくとも２つのダイアフラムを含み、前記組織部位に導管を介して減圧を提供するポンプヘッド、および
前記ポンプヘッドに流体的に結合され、流体を収集する液溜め
を含むキャニスター部と；
前記キャニスター部とは流体的に分離され、かつ前記ポンプヘッドの前記ダイアフラムを作動させて前記ポンプヘッドに前記減圧を生成させるように動作可能であり、それぞれのダイアフラムの変位を測定するように前記少なくとも２つのダイアフラムのうち少なくとも１つに動作可能に接続されるポンプ制御部と
を含むことを特徴とする、減圧治療装置。
【請求項２３】
請求項２２に記載の減圧治療装置において、前記ポンプ制御部が、前記少なくとも２つのダイアフラムのうち少なくとも１つを作動させるために電磁石を含むことを特徴とする、減圧治療装置。
【請求項２４】
請求項２３に記載の減圧治療装置において、前記少なくとも２つのダイアフラムのうち少なくとも１つが金属部品を含むことを特徴とする、減圧治療装置。
【請求項２５】
請求項２２に記載の減圧治療装置において、前記ポンプ制御部が、前記少なくとも２つのダイアフラムのうち少なくとも１つを作動させる機械的アクチュエータを含むことを特徴とする、減圧治療装置。
【請求項２６】
請求項２２に記載の減圧治療装置において、前記ポンプ制御部が、空気圧リンクを介して前記少なくとも２つのダイアフラムのうち少なくとも１つを作動させるためのポンプを含むことを特徴とする、減圧治療装置。
【請求項２７】
請求項２２に記載の減圧治療装置において、前記少なくとも２つのダイアフラムのうち少なくとも１つに装着された圧電部材をさらに含み、および前記ポンプ制御部が、前記圧電部材を作動させるための電気的接続部を含むことを特徴とする、減圧治療装置。
【請求項２８】
請求項２２乃至２７の何れか１項に記載の減圧治療装置において、前記ポンプヘッドが前記液溜めに減圧を直接提供することを特徴とする、減圧治療装置。
【請求項２９】
請求項２２乃至２８の何れか１項に記載の減圧治療装置において、前記ポンプヘッドに流体的に結合され、かつ前記組織部位からの前記流体が前記ポンプヘッドに入ってから前記液溜めに入るように適合されている減圧供給導管をさらに含むことを特徴とする、減圧治療装置。
【請求項３０】
請求項２２乃至２９の何れか１項に記載の減圧治療装置において、前記ポンプヘッドに流体的に結合され、かつ前記組織部位からの前記流体が前記液溜めに入ってから前記ポンプヘッドに入るように適合されている減圧供給導管をさらに含むことを特徴とする、減圧治療装置。
【請求項３１】
請求項２２乃至３０の何れか１項に記載の減圧治療装置において、前記ポンプヘッドへの入口を形成する第１の一方向弁と、前記ポンプヘッドからの出口を形成する第２の一方向弁とをさらに含むことを特徴とする、減圧治療装置。
【請求項３２】
請求項２２に記載の減圧治療装置において、
前記液溜めから水蒸気を大気へ放出させるための、前記キャニスター部と前記ポンプ制御部との間の空隙チャネル
をさらに含むことを特徴とする、減圧治療装置。
【請求項３３】
請求項３２に記載の減圧治療装置において、前記空隙チャネルが、前記キャニスター部に形成された凹部分を含むことを特徴とする、減圧治療装置。
【請求項３４】
請求項２２乃至３３の何れか１項に記載の装置と、前記組織部位に近接して配置するマニホールドと；前記組織部位および前記マニホールドを覆って配置され、かつ流体シールを形成するように動作可能なシール部材とを含む減圧治療システムにおいて；前記ポンプヘッドが、前記シール部材の下側の囲まれた領域に流体的に結合されていることを特徴とする、減圧治療システム。
【発明の詳細な説明】
【技術分野】
【０００１】
関連出願の相互参照
本発明は、３５ＵＳＣ§１１９（ｅ）下において、２０１０年５月１８日出願の米国仮特許出願第６１／３４５，８２１号（「Ｒｅｄｕｃｅｄ−Ｐｒｅｓｓｕｒｅ  Ｔｒｅａｔｍｅｎｔ  Ｓｙｓｔｅｍｓ  ａｎｄ  Ｍｅｔｈｏｄｓ  Ｅｍｐｌｏｙｉｎｇ  Ａ  Ｆｌｕｉｄｌｙ  Ｉｓｏｌａｔｅｄ  Ｐｕｍｐ  Ｃｏｎｔｒｏｌ  Ｕｎｉｔ」）（あらゆる点において本願明細書に援用する）；２０１０年６月２８日出願の米国仮特許出願第６１／３５９，２０５号（「Ｅｖａｐｏｒａｔｉｖｅ  Ｂｏｄｙ  Ｆｌｕｉｄ  Ｃｏｎｔａｉｎｅｒｓ  ａｎｄ  Ｍｅｔｈｏｄｓ」）（あらゆる点において本願明細書に援用する）；２０１０年５月１８日出願の米国仮特許出願第６１／３４５，８３０号（「Ｓｙｓｔｅｍｓ  ａｎｄ  Ｍｅｔｈｏｄｓ  ｆｏｒ  Ｍｅａｓｕｒｉｎｇ  Ｒｅｄｕｃｅｄ  Ｐｒｅｓｓｕｒｅ  Ｅｍｐｌｏｙｉｎｇ  Ａｎ  Ｉｓｏｌａｔｅｄ  Ｆｌｕｉｄ  Ｐａｔｈ」）（あらゆる点において本願明細書に援用する）；および２０１０年１１月１７日出願の米国仮特許出願第６１／４１４，７３８号（「Ｒｅｄｕｃｅｄ−Ｐｒｅｓｓｕｒｅ  Ｃａｎｉｓｔｅｒｓ  ａｎｄ  Ｍｅｔｈｏｄｓ  ｆｏｒ  Ｒｅｃｙｃｌｉｎｇ」）（あらゆる点において本願明細書に援用する）の利益を主張する。
【０００２】
本開示は、概して減圧治療システムに関し、より詳細には、限定されるものではないが、流体的に隔離されているポンプ制御部を用いる減圧システムおよび減圧方法に関する。
【背景技術】
【０００３】
臨床試験および実習において、組織部位に近接して減圧をもたらすことによって、組織部位における新しい組織の生成を増強および加速することが示されている。この現象の適用は多数あるが、減圧を行うことは、創傷の治療においてかなり成功している。この治療（医学界では「陰圧閉鎖療法」、「減圧療法」、または「真空療法」と呼ばれることが多い）はいくつもの利点を提供し、それら利点には迅速な治癒や肉芽組織の形成加速化が含まれる。一般に、減圧は、多孔質パッドまたは他のマニホールド装置を通して組織に加えられる。多孔質パッドはセルまたは細孔を含み、それらセルまたは細孔は、減圧を組織に分配し、および組織から引き出された流体を導くことができる。
【発明の概要】
【０００４】
説明に役立つ非限定的な実施形態によれば、減圧により患者の組織部位を治療するためのシステムと共に使用するための減圧治療装置は、少なくとも１つのダイアフラムを備えるポンプヘッドであって、組織部位に流体的に結合されて組織部位に減圧をもたらすポンプヘッドと、ポンプヘッドに流体的に結合され、組織部位から流体を収集する液溜めを有するキャニスター部を含む。減圧治療装置はまた、キャニスター部とは流体的に分離され、かつポンプヘッドにポンプエネルギーを提供して、ポンプヘッドに減圧を生成させるように動作可能なポンプ制御部を含む。ポンプ制御部は、制御装置と、制御装置に電力を提供する電力系統とを有し得る。減圧治療装置は、キャニスター部およびポンプ制御部に関連付けられた少なくとも１つのリンキングインターフェースをさらに含む。リンキングインターフェースは、ポンプヘッドにポンプエネルギーを提供して減圧を生成する。
【０００５】
説明に役立つ別の非限定的な実施形態によれば、患者の組織部位に減圧治療を行うための減圧治療システムは、組織部位に近接して配置するマニホールドと、組織部位およびマニホールドを覆って配置され、かつ流体シールを形成するように動作可能なシール部材と、減圧治療装置とを含む。減圧治療装置は、少なくとも１つのダイアフラムを備えるポンプヘッドであって、組織部位に流体的に結合して組織部位に減圧をもたらすためのものであるポンプヘッドと、ポンプヘッドに流体的に結合され、組織部位から流体を収集する液溜めを有するキャニスター部を含む。減圧治療装置はまた、キャニスター部とは流体的に分離され、かつポンプヘッドにポンプエネルギーを提供してポンプヘッドに減圧を生成させるように動作可能なポンプ制御部を含む。ポンプ制御部は、制御装置と、制御装置に電力を供給する電力系統とを含む。減圧治療装置は、キャニスター部およびポンプ制御部に関連付けられた少なくとも１つのリンキングインターフェースをさらに含む。リンキングインターフェースは、ポンプヘッドにエネルギーを提供して減圧を生成する。
【０００６】
説明に役立つ別の非限定的な実施形態によれば、患者の組織部位に減圧治療を行う方法は、組織部位に近接してマニホールドを配置するステップと、マニホールドおよび患者の表皮を覆ってシール部材を配置するステップと、シール部材と患者の表皮との間に流体シールを形成するステップと、マニホールドに減圧を供給するステップとを含む。マニホールドに減圧を供給するステップは、ダイアフラムと実質的に整列している第１の電磁石に電流を流すことを含む。第１の電磁石は、ダイアフラムとは流体的に隔離されている。第１の電磁石は、ダイアフラムを第１の位置から第２の位置へ撓ませ、およびダイアフラムが第１の位置と第２の位置との間で動くことによって、流体運動が生じて減圧が生成される。
【０００７】
説明に役立つ実施形態の他の目的および利点は、図面および以下の詳細な説明を参照することにより明らかとなる。
【図面の簡単な説明】
【０００８】
【図１】図１は、減圧治療システムの説明に役立つ非限定的な実施形態の、一部分を断面図で示し、かつ一部分を斜視図で示した概略図である。
【図２】図２は、減圧治療装置の説明に役立つ非限定的な実施形態の概略的な分解斜視図である。
【図３】図３は、減圧治療装置の説明に役立つ非限定的な実施形態の概略的な分解斜視図である。
【図４】図４は、組立てた状態で示す図２の減圧治療装置の概略的な斜視図である。
【図５】図５は、減圧治療装置の説明に役立つ非限定的な実施形態の概略図である。
【図６Ａ】図６Ａは、リンキングインターフェースの説明に役立つ非限定的な実施形態を示し、かつポンプヘッドの一部分を、ポンピング時のある位置での状態を示す概略図である。
【図６Ｂ】図６Ｂは、リンキングインターフェースの説明に役立つ非限定的な実施形態を示し、かつポンプヘッドの一部分を、ポンピング時の別のある位置での状態を示す概略図である。
【図６Ｃ】図６Ｃは、リンキングインターフェースの説明に役立つ非限定的な実施形態を示し、かつポンプヘッドの一部分を、ポンピング時の別のある位置での状態を示す概略図である。
【図７】図７は、組織部位から受け取った流体に直接作用するポンプヘッドを示す例示的な減圧治療装置の概略図である。
【図８】図８は、減圧治療装置の説明に役立つ別の非限定的な実施形態の概略図である。
【図９】図９は、減圧治療装置の説明に役立つさらに別の非限定的な実施形態の概略図である。
【発明を実施するための形態】
【０００９】
以下の説明に役立つ実施形態の詳細な説明において、本明細書の一部をなす添付図面を参照する。これらの実施形態は、当業者が本発明を実施できるようにするのに十分な程度、詳細に説明し、および、他の実施形態を使用し得ること、および本発明の趣旨または範囲から逸脱せずに、論理的な構造上の、機械的な、電気的なおよび化学的な変更がなされ得ることが理解される。当業者が、本明細書で説明する実施形態を実施できるようにするのに必要ではない詳細を避けるために、説明では、当業者に公知の特定の情報を省略し得る。以下の詳細な説明は、限定ととられるべきではなく、説明に役立つ実施形態の範囲は、添付の特許請求の範囲によってのみ定義される。
【００１０】
図面、主に図１〜５を参照して、患者の組織部位１０２に減圧治療を行う減圧治療システム１００の説明に役立つ非限定的な実施形態を説明する。減圧治療システム１００は、組織部位１０２に近接して配置されたマニホールド１０４と、マニホールド１０４に流体的に結合されている減圧治療装置１０６とを含む。減圧治療装置１０６はキャニスター部１０８およびポンプ制御部１１０を有する。ポンプ制御部１１０は、キャニスター部１０８とは流体的に分離または隔離されている。
【００１１】
ポンプ制御部１１０とキャニスター部１０８とを流体的に分離することによって、ポンプ制御部１１０が流体によって汚染されないようにする。また、ポンプ制御部１１０とキャニスター部１０８とを分離することは、ポンプ制御部１１０の高価な構成要素の再使用を容易にする。さらに、一部の実施形態では、分離は、キャニスター部１０８を使い捨て可能にすることを容易にし得る。ポンプ制御部１１０およびキャニスター部１０８について、以下さらに説明する。
【００１２】
減圧治療システム１００を使用して、創傷１１２になっているとし得る組織部位１０２を治療する。説明に役立つ非限定的な一実施形態では、創傷１１２は、表皮１１４、真皮１１６、および皮下組織１１８を通って存在するかまたはそれらを含む。減圧治療システム１００はまた、他の組織部位にも使用し得る。組織部位１０２は、骨組織、脂肪組織、筋組織、皮膚組織、脈管組織、結合組織、軟骨、腱、靭帯、または任意の他の組織を含む、いずれかのヒト、動物、または他の生物の体の組織とし得る。他に指定のない限り、本明細書では、「または」は相互排他性を意味するものではない。
【００１３】
マニホールド１０４は、組織部位１０２に近接して配置される。説明に役立つ一実施形態では、マニホールド１０４は、多孔質で透過性の発泡体または発泡体様の材料から、より詳細には、網状の開放セルのポリウレタンまたはポリエーテル発泡体から作製され、減圧下にある間、創傷液の透過性を良好にすることができる。これまで使用されてきたそのような発泡材料の１つは、Ｋｉｎｅｔｉｃ  Ｃｏｎｃｅｐｔｓ，Ｉｎｃ．（ＫＣＩ）（Ｓａｎ  Ａｎｔｏｎｉｏ、Ｔｅｘａｓ）から入手可能なＶＡＣ（登録商標）ＧｒａｎｕＦｏａｍ（登録商標）Ｄｒｅｓｓｉｎｇである。マニホールド材料が減圧を分配するように動作可能であるという条件で、マニホールド材料にいずれかの材料または材料の組み合わせを使用し得る。マニホールドは、組織部位に減圧を加える、組織部位に流体を供給する、または組織部位から流体を除去するのを支援するために設けられる物体または構造を指す。マニホールドは、一般に複数の流路または流れ経路を含む。複数の流路または流れ経路は相互に接続されて、マニホールド周囲の組織部位に対しての流体の提供およびその組織部位からの流体の除去の分配を改善することができる。マニホールドの例は、限定するものではないが、流路を形成するように配置された構造要素を有する装置、セル状発泡体、例えば、開放セル発泡体、多孔性組織集合体、液体、ゲル、および流路を含むまたは硬化して流路を含む発泡体などを含み得る。
【００１４】
患者の表皮１１４の一部分およびマニホールド１０４を覆ってシール部材１２０が配置される。シール部材１２０は、エラストマー材料、または流体シールをもたらす任意の材料もしくは物質とし得る。エラストマーの例は、限定はされないが、天然ゴム、ポリイソプレン、スチレンブタジエンゴム、クロロプレンゴム、ポリブタジエン、ニトリルゴム、ブチルゴム、エチレンプロピレンゴム、エチレンプロピレンジエンモノマー、クロロスルホン化ポリエチレン、多硫化ゴム、ポリウレタン、ＥＶＡフィルム、コ−ポリエステル、およびシリコーンを含み得る。さらに、シール部材１２０は、シリコーンドレープ、３Ｍ  Ｔｅｇａｄｅｒｍ（登録商標）ドレープ、Ａｖｅｒｙ  Ｄｅｎｎｉｓｏｎから入手可能なものなどのアクリルドレープを含み得る。
【００１５】
シール部材１２０は、シール部材１２０と患者の表皮１１４との間での流体シールの形成を助ける取付装置１２２を有し得る。取付装置１２２は、シール部材１２０を患者の表皮１１４または別の層、例えばガスケットまたは追加的なシール部材に押し当てるために使用し得る。取付装置１２２は多くの形態を取り得る。例えば、取付装置１２２は、医学的に容認できる感圧接着剤または親水コロイドとしてもよく、シール部材１２０の周囲に延在する。流体シールは、特定の減圧源または関連のサブシステムによって与えられた減圧を所望の部位に維持するのに適切なシールである。
【００１６】
シール部材１２０に減圧インターフェース１２４が結合されて、マニホールド１０４への流体路を提供し得る。減圧供給導管１２６が減圧治療装置１０６と減圧インターフェース１２４を流体的に結合している。説明に役立つ一実施形態では、減圧インターフェース１２４は、ＫＣＩ（Ｓａｎ  Ａｎｔｏｎｉｏ、Ｔｅｘａｓ）から入手可能なＴ．Ｒ．Ａ．Ｃ．（登録商標）ＰａｄまたはＳｅｎｓａ  Ｔ．Ｒ．Ａ．Ｃ．（登録商標）Ｐａｄである。減圧インターフェース１２４があることで、組織部位１０２に減圧を供給できるようになる。組織部位に加えられる減圧の量および性質は一般に適用例に従って変動するものの、減圧は、一般に、−５ｍｍ  Ｈｇ（−６６７Ｐａ）〜−５００ｍｍ  Ｈｇ（−６６．７ｋＰａ）、より典型的には−７５ｍｍ  Ｈｇ（−９．９ｋＰａ）〜−３００ｍｍ  Ｈｇ（−３９．９ｋＰａ）である。例えば、限定ではないが、圧力は、−１２、−１２．５、−１３、−１４、−１４．５、−１５、−１５．５、−１６、−１６．５、−１７、−１７．５、−１８、−１８．５、−１９、−１９．５、−２０、−２０．５、−２１、−２１．５、−２２、−２２．５、−２３、−２３．５、−２４、−２４．５、−２５、−２５．５、−２６、−２６．５ｋＰａまたは別の圧力とし得る。
【００１７】
減圧は、一般的に、治療を施されている組織部位における周囲圧力に満たない圧力を指す。ほとんどの場合、この減圧は、患者がいる場所の気圧に満たない。あるいは、減圧は、組織部位における静水圧未満とし得る。減圧は、初めに、マニホールド１０４に、減圧供給導管１２６に、および組織部位１０２の近傍に流体の流れを生成し得る。組織部位１０２の周りの静水圧が所望の減圧に達すると、流れは弱まり、かつ減圧が維持され得る。他に指定のない限り、本明細書で挙げられた圧力の値は、ゲージ圧である。供給される減圧は、一定であってもまたは変動しても（パターン化またはランダム）よく、連続的にまたは断続的に供給され得る。用語「負圧」を使用して、組織部位に加えられる圧力を説明してもよいが、組織部位１０２に加えられる実際の圧力は、通常完全な真空に関連する圧力を上回り得る。本明細書での使用に一致して、減圧または真空圧の上昇は、一般に、絶対圧の相対的減少を指す。
【００１８】
減圧治療装置１０６は減圧を供給し、かつ組織部位１０２から滲出液などの流体を受け取る。減圧治療装置１０６は、クリップ部材１２８などの取付装置を含み、ポンプ制御部１１０に近接してキャニスター部１０８を保持する。図示の実施形態における取付装置またはクリップ部材１２８は、キャニスター部１０８をポンプ制御部１１０に実質的にぴったりとくっつけて保持し得る。キャニスター部１０８とポンプ制御部１１０との間に空隙チャネル１３０が形成され得る。キャニスター部１０８の前側部分１３２は、キャニスター部１０８内の流体がキャニスター部１０８の外側から見えるように、透明とし得る。キャニスター部１０８内の液体量を視覚的に判断するために、前側部分１３２には目盛尺１３４が含まれ得る。減圧供給導管１２６は、キャニスター部１０８に流体的に結合して、組織部位１０２に減圧を供給し、かつ組織部位１０２からの流体をキャニスター部１０８に供給する。
【００１９】
ここで主に図２を参照して、減圧治療装置１０６の分解図を説明する。ポンプ制御部１１０は、ベース部分１４０と第１のカバー１４２とを含み得るポンプ制御部ハウジング１３８を含み得る。ベース部分１４０の内部１４４は、バッテリー１４６または他の電源を含み得る。一実施形態では、バッテリー１４６は、充電台（図示せず）の上に減圧治療装置１０６を置くことによって、再充電され得る。内部１４４はまた、第１の電磁石１４８および第２の電磁石１５０を含み得る。電磁石１４８、１５０は、例えば電磁コイルまたはソレノイドとし得る。内部１４４には制御装置１５２が含まれ、制御装置は、電磁石１４８、１５０用の制御要素を提供する。制御装置１５２はまた、以下説明するように、ユーザインターフェース装置１３６からの入力を実行し得る。カバー１４２は、ベース部分１４０と合うようなサイズで構成され、かつベース部分との実質的な液密シールを提供する。カバー１４２は、溶接、締結具、または他の結合技術によってベース部分１４０に取り外し可能にまたは永久的に接合され得る。
【００２０】
ポンプ制御部１１０は、キャニスター部１０８にごく接近して保持するように構成される。説明に役立つ実施形態では、キャニスター部１０８は、クリップ部材１２８の内側に配置されるように作製され、かつキャニスター部１０８をポンプ制御部１１０に押し当てるように締まり嵌めを形成する。キャニスター部１０８にポンプ制御部１１０をごく接近させて保持するために、多数の他の技術および装置を使用し得ることを理解されたい。
【００２１】
キャニスター部１０８はポンプヘッド１５４を含む。ポンプヘッド１５４は、１つ以上のダイアフラム、例えば第１のダイアフラム１５６および第２のダイアフラム１５８を含み得る。ダイアフラムは、半撓み性または撓み性材料のシートを含み、シートの周辺部が壁に固定されている。ポンプヘッド１５４はポンプ室１６０をさらに含み得る。ポンプヘッド１５４は、導管またはアパーチャ１６２を通って液溜め１６４まで供給される減圧を生成するように動作可能であり、その液溜めは、１つ以上のバッフル１６６を含み得る。キャニスター部１０８はベース部分１６８および膜１７０を有する。膜１７０は透湿性とし得る。膜１７０は、液溜め１６４の少なくとも一部分を覆い、かつある程度バッフル１６６によって支持され得る。キャニスター部１０８のベース部分１６８は凹部分１７２を含み、その凹部分が、組立時にキャニスター部１０８とポンプ制御部１１０との間に空隙チャネル１３０を形成する。膜１７０は、液溜め１６４から水蒸気が大気に通過できるようにする超高透湿度（ＭＶＴＲ）膜とし得る。空隙チャネル１３０は水蒸気の移動を容易にする。
【００２２】
ここで主に図３を参照して、図２の例示的な減圧治療装置１０６を、いくつかの追加または代替案と共に説明する。空気移動装置１５１、例えば、ファン、アクチュエータ（以下説明するようにダイアフラムとインターフェースする）、静電装置、圧電装置、または他の装置などを追加した。空気移動装置１５１は、膜１７０を横切って空気を押しこんだり引き寄せたりする任意の装置とし得る。図示の説明に役立つ実施形態では、空気移動装置１５１は、ベース部分１４０の内部部分１４４にあるアクチュエータである。アクチュエータは、作動されると、第２のカバー１４７上のダイアフラム１５３を動かす。ダイアフラム１５３が動くことによって、この実施形態では第２のカバー１４７に隣接しかつバッフル１６６に対向する膜１７０を横切って空気が流れる。第２のカバー１４７は通気口１５５を含み、それら通気口により、空気は、膜１７０と対向する内部部分に移ることができる。空気移動装置１５１としてファンを使用する場合、ファンは第１のカバー１４２に固定され、および図３にダイアフラム１５３として示す箇所は、空気を膜１７０に対して押し込んだり通気口１５５から流出するようにしたりするために、ファンと整列するようなサイズで構成されたアパーチャへと変更され得る。図３の他の態様は、図２と類似している。
【００２３】
再び主に図２を参照して、減圧供給導管１２６は、減圧入口１７４とインターフェースし、かつポンプ室１６０と流体連通している収容室１７６に流体を供給する。第２の電磁石１５０は、第２のダイアフラム１５８の位置を測定することによって、減圧供給導管１２６、従って組織部位１０２の減圧レベルを監視し得る第２の圧力検出器とし得る。第２のダイアフラム１５８の位置は、第２のダイアフラム１５８が変位する際に第２の電磁石１５０が受けるインダクタンスの変化によって測定される。同様に、第１の電磁石１４８は、第１のダイアフラム１５６が動く際に第１の電磁石１４８が受けるインダクタンスの変化により第１のダイアフラム１５６の位置を測定することによって、キャニスター部１０８内の圧力を測定し得る第１の圧力検出器（図示せず）を含み得る。
【００２４】
ここで主に図５を参照すると、減圧治療装置１０６はキャニスター部１０８およびポンプ制御部１１０を含む。ポンプ制御部１１０は、ポンプヘッド１５４とは流体的に分離または隔離されている。ポンプ制御部１１０はまた、キャニスター部１０８とは流体的に分離されている。ポンプ制御部１１０は、ポンプエネルギーをポンプヘッド１５４に伝達または提供する。ポンプエネルギーは、同様に、ポンプヘッド１５４の構成要素、例えば、第１のダイアフラム１５６を動かし、かつこの動きを使用して、減圧を生成する。一部の実施形態では、第２のダイアフラム１５８をポンプヘッド１５４に含ませて、減圧の生成または減圧の測定を行うようにし得る。
【００２５】
第１のダイアフラム１５６およびポンプ室１６０（図２）にはバルブ組立体１８４が関連付けられている。バルブ組立体１８４は、例えば、１つ以上の一方向弁（例えば、図６Ａの一方向弁１９４を参照）としてもよく、流体をポンプ室１６０から出して、減圧を生成するようにし、その減圧を導管１８０に伝達させる。減圧を生成するために可動構成要素を使用する他の技術を使用してもよい。
【００２６】
ポンプ制御部１１０は、ユーザインターフェース装置１３６、制御装置１５２、および電源サブシステム１７８、例えばバッテリー１４６（図２）を含み得る。ポンプ制御部１１０は、一動作設定用に構成されてもよく、そのような説明に役立つ実施形態では、電源サブシステム１７８からの電力が制御装置１５２に直接供給され得る。次いで、減圧治療装置１０６は、予め設定されたレベルで減圧を生成する。
【００２７】
別の説明に役立つ実施形態では、ユーザが減圧治療装置１０６にパラメータ、例えば所望の圧力範囲、動作持続時間、または他の性能パラメータなどを入力し得る。この後者の説明に役立つ実施形態では、ユーザインターフェース装置１３６を使用し得る。ユーザインターフェース装置１３６は、入力用のセレクタボタンならびにユーザに情報およびオプションを示すディスプレイを備えるパネルとし得る。ユーザインターフェース装置１３６は、電源サブシステム１７８および制御装置１５２に電気的に結合され得る。
【００２８】
ユーザインターフェース装置１３６は、ユーザのインタラクションを受け取って、かつそれを、減圧治療装置１０６で使用するための電気またはソフトウェアコード命令に翻訳する。ユーザインターフェース装置１３６は、ＬＣＤ、ＯＬＥＤ、またはＬＥＤスクリーン上の（またはそれらを備える）静電容量式または抵抗膜式タッチパネル；ボタンおよびＬＥＤを備える膜パネル；ＬＥＤを備える、エンクロージャに装着されたボタン；エンクロージャに装着された静電容量センサー；ジェスチャー認識カメラ；または上述の技術の組み合わせとし得る。説明に役立つ非限定的な一実施形態では、ユーザインターフェース装置１３６は、制御装置１５２に伝えられ得る命令を決定するために復号化を必要としない基本スイッチである。別の説明に役立つ実施形態では、ユーザインターフェース装置１３６は、タッチスクリーンとＬＣＤとの組み合わせであり、ユーザ命令を決定するためにソフトウェアコードを必要とする。一般的に、ユーザインターフェース装置１３６は、ユーザからの命令を決定して制御装置１５２へ通信し、かつ、制御装置１５２またはモジュールからの処理のステータスについてユーザにフィードバックを送信し得る。
【００２９】
制御装置１５２は、減圧治療システム１００によって投与された治療を制御し、かつ、この説明に役立つ実施形態では、ユーザインターフェース装置１３６を介したユーザからの命令に基づいて、リンキングインターフェース１８６、１８８のアクションを制御する。制御装置１５２は、下記でさらに説明するように、電源サブシステム１７８によってもたらされた電力を、第１のリンキングインターフェース１８６および第２のリンキングインターフェース１８８用のポンプエネルギーに変換し、かつ、リンキングインターフェース１８６、１８８を順序付けし得る。一部の説明に役立つ実施形態では、制御装置１５２は、治療コードを実行するマイクロプロセッサなどの制御エレクトロニクスと、リンキングインターフェース１８６、１８８を制御できるドライブエレクトロニクスとを含む。制御装置１５２用の電力は電源サブシステム１７８から得られ、その電源サブシステムは、減圧治療システム１００に適切なレベルの電力を提供して、制御装置１５２およびリンキングインターフェース１８６、１８８を駆動する。
【００３０】
電源サブシステム１７８は、制御装置１５２およびユーザインターフェース装置１３６にデータを通信しかつ電力を伝達し得る。電源サブシステム１７８は、制御装置１５２およびユーザインターフェース装置１３６に適切な電力を提供し、かつ、制御装置１５２によって監視できるステータス情報を提供し得る。ステータス情報は、電源サブシステム１７８が主電源に接続されているかどうか、およびバッテリーの充電状態を含み得る。ステータス情報は、ユーザインターフェース装置１３６を介してユーザに提示され得る。電源サブシステム１７８はまた、バッテリーを充電し、かつ、主電源接続が切断される場合にバッテリーへ切り替え得る。
【００３１】
キャニスター部１０８は液溜め１６４およびポンプヘッド１５４を含む。この説明に役立つ実施形態では、減圧供給導管１２６が、減圧入口１７４を経て液溜め１６４に流体を供給する。ポンプヘッド１５４は、ポンプエネルギーを受け取ると、減圧を生じる。減圧は、導管１８０を通って液溜め１６４へ供給される。導管１８０は、１つ以上のフィルター１８２、例えば疎水性フィルターなどを含み、液体がポンプヘッド１５４を汚染しないようにし得る。キャニスター部１０８は、創傷１１２（図１）からの気体を減圧治療装置１０６の外部に放出させる通気口導管１９６をさらに含み得る。
【００３２】
動作中、ポンプエネルギーは、第１のリンキングインターフェース１８６などの少なくとも１つのリンキングインターフェースによってポンプヘッド１５４に供給される。この説明に役立つ実施形態では、第１のリンキングインターフェース１８６は、第１の電磁石１４８と、第１のダイアフラム１５６に関連付けられた第１の磁石部材１９０とを含む。第１の磁石部材１９０は、座金、ダイアフラムの磁石部分（または表面に被覆されている）、または第１のダイアフラム１５６に結合された他の部材とし得る。
【００３３】
一部の実施形態では、ユーザは、ユーザインターフェース装置１３６を使用して減圧治療装置１０６を起動する。制御装置１５２は第１の電磁石１４８を起動して交番磁界を発生させ、その交番磁界は、第１のダイアフラム１５６上の第１の磁石部材１９０に磁気的に結合される。第１の電磁石１４８は、第１のダイアフラム１５６の位置と実質的に整列した方向に電磁界を生成し得る。バルブ組立体１８４と連動して第１のダイアフラム１５６が動くことによって減圧を生成でき、その減圧は、導管１８０に届けられて液溜め１６４へ供給される。次いで、減圧が減圧供給導管１２６を通って組織部位１０２に伝達される。ポンプ制御部１１０とキャニスター部１０８との間に流体連通が全くなくても、第１のリンキングインターフェース１８６によって、ポンプエネルギーをポンプヘッド１５４に供給できることを理解されたい。従って、キャニスター部１０８内の汚染物質−気体または液体にかかわらず−は、ポンプ制御部１１０に到達することができない。ポンプ制御部１１０には、より価値の高い構成要素が存在してもよく、汚染から保護される。一実施形態では、キャニスター部１０８は使い捨てとしてもよく、継続的な適用に対して、新しいキャニスター部を同じポンプ制御部１１０と使用してもよい。
【００３４】
一部の実施形態では、第２のダイアフラム１５８を第２のリンキングインターフェース１８８と共に使用して減圧を生成し得る。第２のダイアフラム１５８は第２の磁石部材１９２を有し、かつ第１のダイアフラム１５６および第１のリンキングインターフェース１８６と同じ様に第２のリンキングインターフェース１８８と連携する。別の実施形態では、第２のダイアフラム１５８は、ポンプヘッド１５４内の圧力を測定するために設け得る。
【００３５】
この後者の実施形態では、第２のダイアフラム１５８、特に第２の磁石部材１９２の変位は、第２の電磁石１５０が受ける誘導の変化によって感知される。第２のダイアフラム１５８の変位を検知するために他の技術を使用してもよい。例えば、ポンプ制御部１１０は、第２のダイアフラム１５８に、特に、限定はしないが、磁石部材１９２がある面またはあるはずの面に赤外線信号を送信する赤外線センサーを含み得る。赤外線信号は赤外線センサーに戻り、距離が検出されて、変位が確認され得る。別の例では、ポンプ制御部１１０は静電容量センサーを含んでもよく、および第２のダイアフラム１５８はプレートを含んでもよく、そのプレートは、動かされると静電容量を変化させ、それがポンプ制御部１１０上の静電容量センサーによって検出される。別の実施形態では、第２のダイアフラム１５８にフェライト材が結合されてもよい。ポンプ制御部１１０内のホール効果センサーを使用して、フェライトの動きによる磁束の変化を感知してもよく、これにより変位を感知できる。
【００３６】
別の実施形態では、第２のダイアフラム１５８の変位の測定に加えてまたはそれに代えて、ポンプ制御部１１０は、類似の技術を使用して第１のダイアフラム１５６の変位を判断するセンサーを有してもよい。この後者の実施形態では、減圧治療装置１０６は、第１のダイアフラム１５６にポンプエネルギーを提供することを停止し、ポンプヘッド１５４内の減圧が第１のダイアフラム１５６に作用するようにし得る。次いで、センサーは、第１のダイアフラム１５６の変位を測定し得る。ポンプヘッド１５４内の圧力は、変位測定値を使用して判断され得る。両ダイアフラム１５６、１５８を使用して減圧を測定する場合、一方のダイアフラムを使用してポンプヘッド１５４内の圧力を測定し、および他方のダイアフラムを使用して、サンプリング導管（図示せず）内などの別の場所の圧力を測定し得る。サンプリング導管は減圧供給導管１２６に関連付けられ得る。
【００３７】
ここで主に図６Ａ〜６Ｃを参照して、磁気コイル１４９とし得る第１の電磁石１４８が、減圧を生じるために、第１のダイアフラム１５６上の第１の磁石部材１９０およびポンプ室１６０と相互作用する方法を説明する。第１の電磁石１４８は、ベース部分１４０（図２）の内部１４４（図２）にあり、かつ、第１の電磁石１４８と第１のダイアフラム１５６との間にはカバー１４２が配置され得る。図６Ａは、非作動位置、または中立位置にある第１の電磁石１４８を示す。図６Ｂでは、第１の電磁石１４８は作動されており、かつ第１の磁石部材１９０に作用する電磁力を提供する。そのため、電磁力は、第１の磁石部材１９０を第１の電磁石１４８の方へ第１の位置まで動かす。図６Ｃは、第１の電磁石１４８が第１の磁石部材１９０を第１の電磁石１４８から離れるように第２の位置まで動かすように逆向きにされた電磁力を示す。第１の位置のポンプ室１６０の体積（Ｖ１）は、第２の位置の体積（Ｖ２）よりも大きいことを理解されたい。それゆえ、ポンプ室１６０の流体が除去され、その後、第１の磁石部材１９０が第１の電磁石１４８の方へ戻るように動かされると、ポンプ室１６０内に減圧が発生する。一方向弁１９４であるゆえに流体がポンプ室１６０内に戻らないために、ポンプ室１６０内は減圧のままとなる。
【００３８】
再び主に図１を参照すると、減圧治療システム１００の動作において、マニホールド１０４は、組織部位１０２に近接して配置される。患者の表皮１１４の一部分およびマニホールド１０４はシール部材１２０で覆われている。シール部材１２０を使用して、マニホールド１０４および組織部位１０２を覆う流体シールを形成するのを助ける。まだ設置されていない場合、減圧インターフェース１２４を設置してマニホールド１０４への流体路を提供する。減圧供給導管１２６を使用して減圧インターフェース１２４を減圧治療装置１０６に流体的に結合する。
【００３９】
次いで減圧治療装置１０６を起動する。一部の実施形態では、減圧治療装置１０６は、ユーザインターフェース装置１３６を使用して起動され得る。上述の通り、減圧治療装置１０６を起動することによって第１のリンキングインターフェース１８６を作動し、かつポンプエネルギーをポンプ制御部１１０からポンプヘッド１５４へ提供する。第２のリンキングインターフェース１８８はまた、ポンプエネルギーをポンプ制御部１１０からポンプヘッド１５４へ、特に第２のダイアフラム１５８へ提供し得る。ポンプエネルギーは少なくとも１つのダイアフラム、例えば、第１のダイアフラム１５６を動かし、上述の通り減圧を発生させる。動作全体にわたってまたは間隔をおいて、ポンプヘッド１５４内のまたは組織部位１０２における圧力を、上述の通りダイアフラム１５６、１５８の変位を感知することによって判断し得る。
【００４０】
ここで主に図７を参照して、減圧治療装置２０６の説明に役立つ別の非限定的な実施形態を説明する。減圧治療装置２０６は、ポンプヘッド２５４が、減圧供給導管２２６から直接戻ってくる流体で動作し、それら流体が導管２８０によって液溜め２６４に供給されることを除いて、図５の減圧治療装置１０６と類似している。図５の実施形態にあるように、減圧治療装置２０６はポンプ制御部２１０およびキャニスター部２０８を含む。ポンプ制御部２１０は、図５のユーザインターフェース装置１３６、電源サブシステム１７８、制御装置１５２、第１の電磁石１４８、および第２の電磁石１５０にそれぞれ類似した、制御装置またはユーザインターフェース装置２３６、電源サブシステム２７８、制御装置２５２、第１の電磁石２４８、および第２の電磁石２５０を含み得る。
【００４１】
キャニスター部２０８はポンプヘッド２５４を含む。ポンプヘッド２５４は、第１の磁石部材２９０および第２の磁石部材２９２をそれぞれ有し得る第１のダイアフラム２５６および第２のダイアフラム２５８を含む。ポンプヘッド２５４は、減圧を生じるために第１のダイアフラム２５６と連動して動作するバルブ組立体２８４を含み得る。第１のダイアフラム２５６は、減圧供給導管２２６から供給された流体に直接作用する。キャニスター部２０８は、創傷、例えば図１の創傷１１２からの気体を、減圧治療装置２０６の外部に放出する通気口導管２９６をさらに含み得る。通気口導管２９６にフィルター２９８を追加して、液体および臭気がキャニスター部２０８から出ないようにし得る。
【００４２】
動作中、ポンプエネルギーは、第１のリンキングインターフェース２８６によって第１の電磁石２４８から第１のダイアフラム２５６へ供給される。ポンプエネルギーが第１のダイアフラム２５６を動かして減圧を発生させる。第１のリンキングインターフェース２８６は、第１の電磁石２４８と、第１のダイアフラム２５６上の第１の磁石部材２９０とを含む。第１のリンキングインターフェース２８６は、上述の通り変位を感知することによって、キャニスター部２０８内の圧力をさらに監視し得る。同様に、第２のリンキングインターフェース２８８が、第２の電磁石２５０と、第２のダイアフラム２５８上の第２の磁石部材２９２とを含み、組織部位１０２、例えば、図１の創傷１１２における圧力を監視する。
【００４３】
説明に役立つ代替的な実施形態に関してではあるが、依然として主に図７を参照すると、リンキングインターフェース２８６、２８８は、機械的なリンクとし得る。この説明に役立つ実施形態では、第１のリンキングインターフェース２８６は、第１の電磁石２４８、第１の機械的アクチュエータ（明示せず）、および第１のダイアフラム２５６を含む。第１の電磁石２４８は第１の機械的アクチュエータの第１の端部（近位端部）を受け（明示せず）、第１のダイアフラム２５６は、第１の機械的アクチュエータの第２の対向端部（遠位端部）を受ける。作動時、第１の電磁石２４８は第１の機械的アクチュエータを動かし、同様に第１の機械的アクチュエータは第１のダイアフラム２５６を動かす。第１の電磁石２４８は、第１のダイアフラム２５６の位置を測定することによって、キャニスター部２０８内の圧力を監視し得る。同様に、第２のリンキングインターフェース２８８は、第２の電磁石２５０、第２の機械的アクチュエータ（明示せず）、および第２のダイアフラム２５８を含み得る。第２のリンキングインターフェース２８８は第２のダイアフラム２５８を動かして減圧を生じる。それに加えてまたはその代わりに、第２の電磁石２５０は、第２の機械的アクチュエータを介して第２のダイアフラム２５８の位置を測定することによって、減圧供給導管２２６内の圧力レベルを監視し得る。第１および第２の機械的アクチュエータは、任意選択で液圧流体を含み得る。それゆえ、第１および第２のリンキングインターフェース２８６、２８８は、第１および第２のダイアフラム２５６、２５８をそれぞれ動かす一方、キャニスター部２０８内の流体路のいずれとも流体的に隔離されたままであるように動作する。
【００４４】
ここで主に図８を参照して、減圧治療装置３０６の説明に役立つ別の非限定的な実施形態を説明する。減圧治療装置３０６は、ほとんどの点で図５の減圧治療装置１０６と類似している。例えば、減圧治療装置３０６は、キャニスター部３０８およびポンプ制御部３１０を含む。ポンプ制御部３１０は、図２のユーザインターフェース装置１３６と類似している制御装置またはユーザインターフェース装置３３６を含み得る。ポンプ制御部３１０は電源サブシステム３７８をさらに含む。電源サブシステム３７８およびユーザインターフェース装置３３６は、制御装置３５２に電子的に結合され得る。この説明に役立つ実施形態では、ポンプ制御部３１０は第１のポンプ３５３をさらに含み、かつバルブ組立体３５５をさらに含み得る。第１のポンプ３５３は、単独で、またはバルブ組立体３５５と連動して、第１の導管３５７を通って第１のダイアフラム３５６まで正圧または減圧をもたらし、第１のダイアフラム３５６が動くようにする。同様に、第２の導管３５９が第２のダイアフラム３５８に正圧または減圧をもたらし得る。
【００４５】
キャニスター部３０８は、第１および第２のダイアフラム３５６、３５８を含むポンプヘッド３５４、または第２のポンプを含む。ポンプヘッド３５４には第２のバルブ組立体３８４が含まれ得る。第１のダイアフラム３５６は、単独で、または第２のバルブ組立体３８４と連動して、ポンプエネルギーの影響下で動作して減圧をもたらし、その減圧は導管３８０へ、そしてその後液溜め３６４へ供給される。導管３８０は、疎水性フィルターなどの１つ以上のフィルター３８２を含み得る。液溜め３６４内の減圧が減圧供給導管３２６に供給され得る。キャニスター部３０８は、組織部位、例えば図１の創傷１１２からの気体を、減圧治療装置３０６の外部に放出する通気口導管３９６をさらに含み得る。
【００４６】
減圧治療装置３０６では、第１の導管３５７は、第１のリンキングインターフェース３８６の一部分を形成する。第１のリンキングインターフェース３８６は、第１のポンプ３５３（および任意選択でバルブ組立体３５５）と、第１のダイアフラム３５６とをさらに含む。第１のリンキングインターフェース３８６は、第１の圧力検出器（図示せず）を含み得る。それゆえ、第１のポンプ３５３によって生成された正圧または減圧が、第１のダイアフラム３５６に伝達され、ポンプエネルギーを構成し、そのポンプエネルギーを使用してポンプヘッド３５４内に減圧を発生させ得る。キャニスター部３０８内の圧力は、第１の圧力検出器（図示せず）を使用して第１のダイアフラム３５６の位置を測定することによって、監視し得る。同様に、第２の導管３５９は、第２のリンキングインターフェース３８８の一部分を構成する。第２のリンキングインターフェース３８８はまた、第１のポンプ３５３（および任意選択でバルブ組立体３５５）と、第２のダイアフラム３５８と、第２の圧力検出器（図示せず）とを含む。創傷、例えば、図１の創傷１１２における圧力を、第２の圧力検出器（図示せず）を使用して、第２のダイアフラム３５８の位置を測定することによって、監視し得る。
【００４７】
第１および第２のリンキングインターフェース３８６および３８８は、ポンプ制御部３１０とキャニスター部３０８との間の空気圧結合を提供する。第１のポンプ３５３は、一定の負荷点で稼働され、かつ第１のポンプ３５３とバルブ組立体３５５との間に溜め部をさらに含み得る。第１のポンプ３５３は、例えば、周囲圧力とより高い圧力との間に至るように圧力を変動させて、振動駆動力をダイアフラム３５６またはダイアフラム３５８に提供する。説明に役立つ代替的な実施形態では、第１のポンプ３５３を圧縮ガス容器で置き換えてもよく、圧縮ガスは第１のダイアフラム３５６にもたらされて、ポンプエネルギーを提供し、ポンプヘッド３５４に減圧を発生させる（第１の導管３５７はポンプヘッド３５４にポンプエネルギーをもたらすが、キャニスター部３０８の汚染された流体路とは流体的に隔離されたままであることに留意されたい）。
【００４８】
ここで主に図９を参照して、ほとんどの点で図１〜７の減圧治療装置１０６と類似している減圧治療装置４０６の説明に役立つ別の非限定的な実施形態を説明する。減圧治療装置４０６はキャニスター部４０８およびポンプ制御部４１０を含む。ポンプ制御部４１０は、制御装置またはユーザインターフェース装置４３６、電源サブシステム４７８、および制御装置４５２を含む。前述同様に、ユーザは、ユーザインターフェース装置４３６にデータまたは所望の設定を入力する。電源サブシステム４７８は制御装置４５２に電力を提供する。この説明に役立つ実施形態では、制御装置４５２は、圧電コントローラ・ドライバユニット４６１をさらに含む。
【００４９】
圧電コントローラ・ドライバユニット４６１は、第１の電気的結合部４５７によって第１の圧電部材４６３に電気的に結合されており、第１の圧電部材は、第１のダイアフラム４５６の一部であるまたはそれに結合されている。同様に、第２の電気的導管４５９が圧電コントローラ・ドライバユニット４６１を第２の圧電部材４６５に結合し、第２の圧電部材は、第２のダイアフラム４５８の一部であるまたはそれに結合されている。それゆえ、第１のリンキングインターフェース４８６は、圧電コントローラ・ドライバユニット４６１、第１の電気的結合部４５７、第１の圧力検出器（図示せず）、および第１の圧電部材４６３を含む。ポンプエネルギーは、第１のリンキングインターフェース４８６を経て第１のダイアフラム４５６に供給される。キャニスター部４０８内の圧力が、第１の圧力検出器（図示せず）を使用して第１のダイアフラム４５６の位置を測定することによって、さらに監視され得る。同様に、第２のリンキングインターフェース４８８が、圧電コントローラ・ドライバユニット４６１、第２の電気的結合部４５９、第２の圧力検出器（図示せず）、および第２の圧電部材４６５を含む。減圧供給導管４２６内の圧力が、第２の圧力検出器（図示せず）を介して第２のダイアフラム４５８の位置を測定することにより、圧電コントローラ・ドライバユニット４６１によって監視され得る。第１のダイアフラム４５６はポンプヘッド４５４内で動作して減圧をもたらし、その減圧は、導管４８０によって液溜め４６４に供給される。導管４８０は、疎水性フィルターなどの１つ以上のフィルター４８２を含み得る。液溜め４６４に供給される減圧は、減圧を減圧供給導管４２６に伝達する。
【００５０】
動作中、制御装置４５２および圧電コントローラ・ドライバユニット４６１は、第１の電気的結合部４５７によって供給された第１の圧電制御信号を、第１の圧電部材４６３に提供する。第１の圧電部材４６３は、作動時、第１のダイアフラム４５６を動かす。第１のダイアフラム４５６およびポンプヘッド４５４が動くことによって減圧を発生させ、その減圧が導管４８０に供給される。ポンプヘッド４５４内にはバルブ組立体４８４が含まれ、減圧の生成を助ける。キャニスター部４０８は、創傷、例えば図１の創傷１１２からの気体を減圧治療装置４０６の外部に放出させる通気口導管４９６をさらに含み得る。
【００５１】
ほとんどの点で図１〜５の減圧治療装置１０６と類似している説明に役立つ別の非限定的な実施形態では（図示せず）、ポンプ制御部およびキャニスター部を含む減圧治療装置を説明する。ポンプ制御部は、ユーザインターフェース装置、電源サブシステム、および制御装置を含み得る。ユーザインターフェース装置および電源サブシステムは、制御装置に電子的に結合され得る。ポンプ制御部は、１つ以上のレーザ光をさらに含み得る。キャニスター部は、１つ以上のレーザ光に対応する１つ以上のダイアフラムを有し得るポンプヘッドを含む。動作中、ポンプエネルギーは、１つ以上のリンキングインターフェースによって１つ以上のダイアフラムに供給される。
【００５２】
この実施形態では、リンキングインターフェースはレーザ光およびダイアフラムを含む。リンキングインターフェースは、減圧を生じるためにポンプヘッド内でポンプ作用を発生させるために、レーザ光によってダイアフラムを変形させるように動作可能である。この説明に役立つ実施形態では、１つ以上のダイアフラムは、光を吸収するスペクトル吸収性ポリマー製とし得る熱反応性のダイアフラムとしてもよく、ダイアフラムは、レーザ光によって生成された熱を分散させるのを助け得る導体材料で処理される。熱反応性のダイアフラムは、レーザ光の適用下で変形するように動作可能である。別の説明に役立つ実施形態では、１つ以上のダイアフラムは、結晶形態を変化させるために光の定められた波長を吸収できる撓み性材料で形成してもよく、結晶形態の変化により材料の密度を変化させ、それにより、ダイアフラムの形状を変化させる；すなわち、撓み性材料は、レーザ光の適用下で変形するように動作可能である。
【００５３】
上述の図１〜９の説明に役立つ非限定的な実施形態を考慮して、「リンキングインターフェース」は、ポンプ制御部からポンプヘッドへエネルギーを提供する一方で、ポンプ制御部を、ポンプヘッドの汚染される可能性のある部分とは流体的に分離または隔離された状態を保つための任意の構成であることが明らかである。多くの場合、リンキングインターフェースは、磁場を使用することを含む。リンキングインターフェースの他の実施形態は、ダイアフラムを動かす空気圧リンクを使用すること、ポンプ制御部とポンプヘッド（ダイアフラムの隔離された側）との間に置かれて作動する機械的アクチュエータを使用すること、前の段落で説明したようにレーザ光を使用すること、およびダイアフラムを動かすために圧電部材を使用することを含む。
【００５４】
本明細書では、減圧によって患者の組織部位を治療するためのシステム、装置、および方法が提供される。一例では、減圧によって組織部位を治療する減圧治療装置は、収集ユニットとは流体的に分離されたポンプ制御部を含み得る。収集ユニット内の１つ以上のダイアフラムを撓ませて減圧を生成するために、ポンプ制御部によってポンプエネルギーが提供され得る。他のシステム、装置、および方法が提供される。
【００５５】
本発明およびその利点を、いくつかの説明に役立つ非限定的な実施形態において説明したが、添付の特許請求の範囲によって定義された本発明の範囲から逸脱せずに、様々な変更、代用、交換、および修正をなすことができることを理解されたい。任意の一実施形態に関連して説明された任意の特徴はまた、任意の他の実施形態にも適用可能であることを理解されたい。
【００５６】
上述の利益および利点は、一実施形態に関連し得ること、またはいくつかの実施形態に関連し得ることを理解されたい。「１つの」品目への言及は、１つ以上のそれら品目を指すことをさらに理解されたい。
【００５７】
本明細書で説明した方法のステップは、任意の好適な順序で、または適切な場合には同時に実施し得る。
【００５８】
適切な場合には、上述の実施形態のいずれかの態様を、説明の任意の他の実施形態の態様と組み合わせて、類似のまたは異なる特性を有しかつ同じまたは異なる問題に対処する別の例を形成する。
【００５９】
好ましい実施形態の上述の説明は例示にすぎず、当業者は様々な修正をなし得ることを理解されたい。上述の明細書、例およびデータは、本発明の例示的な実施形態の構造および使用の完全な説明を提供する。本発明の様々な実施形態を、ある程度詳細に、または１つ以上の個々の実施形態を参照して上記で説明したが、当業者は、特許請求の範囲から逸脱せずに、開示の実施形態に多数の修正をなすことができる。
【図１】
0005877545.tif 000002
【図２】
0005877545.tif 000003
【図３】
0005877545.tif 000004
【図４】
0005877545.tif 000005
【図５】
0005877545.tif 000006
【図６Ａ】
0005877545.tif 000007
【図６Ｂ】
0005877545.tif 000008
【図６Ｃ】
0005877545.tif 000009
【図７】
0005877545.tif 000010
【図８】
0005877545.tif 000011
【図９】
0005877545.tif 000012